(57)【要約】【課題】コレステリック液晶の旋光性、選択反射性を利用した偽造防止効果が高く真偽判定が容易な真偽判定体用転写箔等を提供する。【解決手段】本発明の真偽判定体用転写箔１は基材フィルム１１上に、剥離層兼保護層１２を設け、当該剥離層兼保護層上に見る角度によって選択反射性を有し色彩変化を生じるコレステリック液晶層１３を設け、当該液晶層上の一部に、通常の印刷インキによる地紋印刷１４を設け、さらに全面に接着層１５を塗工した、ことを特徴とする。【選択図】　　図１
2004050596.tif 000002
【特許請求の範囲】
【請求項１】
基材フィルム上に、剥離層兼保護層を設け、当該剥離層兼保護層上に見る角度によって選択反射性を有し色彩変化を生じるコレステリック液晶層を設け、当該液晶層上の一部に、通常の印刷インキによる地紋印刷を設け、さらに全面に接着剤を塗工して接着層を設けた、ことを特徴とする真偽判定体用転写箔。
【請求項２】
接着層が着色されていることを特徴とする請求項１記載の真偽判定体用転写箔。
【請求項３】
請求項１または請求項２記載の真偽判定体用転写箔を真正性識別対象物に転写したことを特徴とする真偽判定体。
【発明の詳細な説明】
【０００１】
【発明の属する技術分野】
本発明は、真偽判定体用転写箔と当該転写箔を転写した真偽判定体に関する。
詳しくは、虹色の干渉色を呈するコレステリック液晶からなる樹脂層上に、通常の印刷インキによる地紋印刷を設けた転写箔と当該転写箔が転写されてなる真偽判定体に関する。
本発明の真偽判定体用転写箔と真偽判定体の利用分野は、各種保証書、商品券、株券等の有価証券類、チケットやくじ、乗車券や入場券、パスポート、金融機関や生命保険・損害保険等で使用される取引明細や各種証明書、公共競技投票券、価格や種別の表示用タグやラベル等である。
【０００２】
【従来技術】
従来より、この種の金券類等の偽造防止を図るために、見る角度によって虹色の干渉色を呈する色彩変化印刷層を設ける偽造防止技術が行われている。
このような色彩変化印刷層は、例えばパールインキなどの色彩変化インキで印刷して形成されている。虹色の干渉色を呈するインキは、光を多重反射する顔料を含んでおり、その顔料で反射した光の干渉によって、色が変化して見える。
そのため、色変化効果は、顔料で反射する光が多いほど色彩変化効果が大きい。そこで、光が多重反射する顔料の数が多くなるように、色彩変化印刷層は、その厚みが厚くなるようにスクリーン印刷などの孔版印刷や、グラビア印刷などの凹版印刷で印刷されることが多い。
しかし、色彩変化印刷層は、グラビア印刷、コーティング又はスクリーン印刷で印刷されることが多いため、製造コストが高くなる問題があった。
【０００３】
かかる問題を解決するため、例えば、特開２０００−６５６４号公報「偽造防止印刷媒体とその作成方法」は、商品券、株券等の印刷媒体へ、パール顔料により印刷した色変化印刷層を設け、その色変化印刷層の一部をオフセット印刷でパターン状に目視不能に隠蔽し、特定情報を形成した偽造防止印刷媒体を提案している。
特開平６−２５５２３４号公報「二色性凹版印刷物」は、白色の下地に、有色化したパール顔料を含む凹版インキで、凹版画像を形成する二色性凹版印刷物を提案している。しかし、この印刷物の場合は、パール印刷に潜像を潜ませるものではないので高度の偽造防止を図ることはできない。
また、一般に、パール顔料を使用するこれらの印刷媒体は、色彩変化が弱く鮮明な潜像を表出できない問題がある。
【０００４】
パール顔料によらず、コレステリック液晶顔料を使用する先行技術も存在する。特開平７−３０４９８３号は、コレステリック液晶による小板状構造の顔料を開示している。しかし、コレステリック液晶顔料は、その性質を生かすために鱗片状としサイズも大きくする必要があり、通常はシルクスクリーンまたはグラビアによる印刷で比較的大きな面積を有するベタ状パターンしか再現できないため、デザイン上の制限が大きく意匠性にも乏しい。また、単体では潜像効果を有しない問題もある。
【０００５】
国際公開公報ＷＯ００／１３０６５号（ＰＣＴ／ＪＰ　９９／０４６４１）は、左円偏光又は右円偏光のいずれか一方のみを反射して反射光を生成する円偏光選択性を有する反射性フィルムに、ホログラム形成部が設けられていることを特徴とする真正性識別フィルム等を提案している。しかし、ホログラムを形成する場合、ホログラム原版の作成が複雑で大々的な設備を要するほか、複製などの工程も煩雑で非常に高価なものになってしまう問題がある。
【０００６】
【発明が解決しようとする課題】
本願出願人は、先に、ホログラムを利用しないで、コレステリック液晶層を媒体に印刷した潜像表示媒体を提案したが（特願２００２−１３９４６８号）、真偽判定体は小ロットのものも多く個別に印刷するには必ずしも適合しない。
そこで、本発明では、直接媒体に印刷しないでより簡易に利用できる材料として、コレステリック液晶層を用いた真偽判定体用転写箔を着想し、本発明の完成に至ったものである。
【０００７】
【課題を解決するための手段】
上記課題を解決するための本発明の要旨の第１は、基材フィルム上に、剥離層兼保護層を設け、当該剥離層兼保護層上に見る角度によって選択反射性を有し色彩変化を生じるコレステリック液晶層を設け、当該液晶層上の一部に、通常の印刷インキによる地紋印刷を設け、さらに全面に接着剤を塗工して接着層を設けた、ことを特徴とする真偽判定体用転写箔、にある。かかる真偽判定体用転写箔であるため、複製を困難にし偽造品を容易に検出できる。
【０００８】
上記課題を解決するための本発明の要旨の第２は、上記真偽判定体用転写箔を真正性識別対象物に転写したことを特徴とする真偽判定体、にある。
かかる真偽判定体であるため、複製を困難にし偽造品を容易に検出できる。
【０００９】
【発明の実施の形態】
本発明の第１は、見る角度によって選択反射性を有し色彩変化を生じるコレステリック液晶層と地紋印刷とからなる転写箔に関し、本発明の第２は、当該転写箔を転写した真偽判定体に関する。
コレステリック液晶を使用した層は、コレステリック液晶片を顔料としたインキを使用しても良いし、液晶樹脂そのものを媒体基材に塗布し配向させて液晶塗膜を形成しても良い。
通常の印刷インキによる地紋印刷は、オフセットの他、凹版印刷、グラビア印刷、シルクスクリーン印刷など何れの方法でもよい。
【００１０】
以下、図面等を参照して、本発明の実施形態について説明する。
図１は、本発明の真偽判定体用転写箔を示す断面図、図２は、真偽判定体用転写箔を真正性識別対象物に転写する工程を示す図、図３は、本発明の真偽判定体の平面図である。
図１のように、真偽判定体用転写箔１は、媒体である基材フィルム１１上に、剥離層兼保護層１２を設け、当該剥離層兼保護層１２上にコレステリック液晶層１３を設け、当該液晶層１３上の一部に、通常の印刷インキによる地紋印刷１４を設け、さらに最上層に接着層１５を設けている。
【００１１】
剥離層兼保護層１２は、真偽判定体用転写箔１の基材フィルム１１の界面からコレステリック液晶層１３を剥離し易くするために設ける層であって、転写後は、コレステリック液晶層１３や地紋印刷１４の上に残り保護層としての役割をも果たすため、剥離層兼保護層１２と表現している。
当該剥離層兼保護層は、基材フィルム１１に対して、易剥離性であってコレステリック液晶層１３に対しては密着性の良いものが好ましい。また、透明な樹脂であって印刷性、乾燥性等の優れたものが好ましい。
一般に、塩酢ビ系や硝化綿等のセルロース系、ゴム系樹脂などが使用されるが、基材フィルム１１との剥離性やコレステリック液晶層１３への密着性等を考慮して適宜なものを選択使用する。従って、それらに使用される材料によって、個別に選択することになる。
【００１２】
コレステリック液晶層は、らせん構造を有する液晶ポリマーで、見る方向によって連続的に色調が変化する特性を有する。
コレステリック液晶層は選択反射性を有することから、入射する光が入射角θを有している場合には、液晶の螺旋周期をＰ、液晶の平均屈折率をｎ、波長をλとすると、Ｐ・ｃｏｓθ＝λ／ｎ、のＢｒａｇｇの反射条件を満足する波長の光を選択的に反射する。しかもこの時、その不斉炭素の絶対配置によって定まる構造に伴い、波長λの光の右円偏光成分あるいは左円偏光成分のどちらかのみを選択的に反射する。また、λ＝ｎ・Ｐ・ｃｏｓθの式から明らかなように、コレステリック面（フィルム面）に入射する光の角度によってもλが異なる。
【００１３】
したがって、コレステリック液晶層１３を有する媒体を傾けると当初の表面から観察した場合に視認される色彩とは異なる色彩を示すようになる。
そしてこのコレステリックカラーと呼ばれる色は他の手段では出すことのできない独特の美しい色となって人間の目に見える。これらの波長選択反射性、円偏光選択反射性、色の視角依存性およびコレステリックカラーの美しい色はいずれも他の物質あるいは方法で発現させることは困難であるため、これらの性質を利用した真偽判定体は偽造が困難であり、かつ偽造物の真偽判定が容易にでき、真偽判定体の偽造防止に極めて効果的である。
【００１４】
コレステリック液晶層は、サーモトロピックコレステリック液晶性高分子を、その液晶転移点以上に加熱して液晶構造を成長させたのち、急冷して液晶構造を固定化する方法、等により形成する方法が採用できる。
コレステリック液晶層１３の厚さは、その特性を生かすため、１μｍ〜２０μｍ程度の厚みを有することが望ましい。また、より反射光を観察しやすくするために、黒色の真正性識別対象物に転写してもよい。
コレステリック液晶は、各種のものが塗工用樹脂として市販されていて、これらを使用することができる。
【００１５】
通常の印刷インキによる地紋印刷１４の地紋は、特に限定されるものではないが、通常の証券や証紙、紙幣等に使用する彩紋や単色の地模様、あるいは微細な文字、幾何学的模様等を採用することができる。当該地紋印刷１４をコレステリック液晶層１３を正面から観察した場合に視認される色と同系色の色料をもって印刷する場合には、一見しては判別し難く潜像効果を高くすることができる。
【００１６】
接着層１５は、それ自体が粘接着性を有する材料であるか、加熱により接着性を付与されるヒートシール性接着剤のいずれであっても良く、コレステリック液晶層１３を真正性識別対象物に接着させ得るものであればよい。ただし、前者の場合は、保護被覆紙等がさらに必要となる場合もあるので、通常はヒートシール性の接着剤を使用する。
これらに使用する材料は、各種の材料を使用でき、例えば、塩酢ビ系やポリエステル系、ＣＭＣ等のセルロース系材料を使用することができる。
接着剤には、薄色の染料を添加して着色することができる。これにより、意匠性、見映えが良くなる効果が得られる。
【００１７】
基材フィルム１１の材質は、使用目的に応じて選定されるものであり、特に限定されるものではないが、一般的にはプラスチック基材が好ましい。
特に、ポリカーボネート（ＰＣ）、ポリビニルアルコール（ＰＶＡ）、ポリスルホン（ＰＳＦ）、ポリエチレン（ＰＥ）、ポリプロピレン（ＰＰ）、ポリスチレン（ＰＳ）、ポリアリレート（ＰＡｒ）、ポリエチレンテレフタレート（ＰＥＴ）、トリアセチルセルロース（ＴＡＣ）、ジアセチルセルロース（ＤＡＣ）、ポリエチレン−エチルビニルアルコール（ＰＥ−ＥＶＡ）を例示できる。
基材フィルム１１は転写後は、多くの場合、廃棄されるものであるから製造や転写の工程で支障とならない限り薄肉の材料であってよい。通常、１５〜５０μｍ程度の厚みのものが使用される。
【００１８】
真偽判定体用転写箔を真正性識別対象物に転写する場合は、図２のように、平板上に載置した真正性識別対象物３に対して、真偽判定体用転写箔１を加熱ローラ５で押圧して圧着することにより、真正性識別対象物３にコレステリック液晶層１３を熱転写することができる。
ただし、転写方法は図２図示のロール転写法に限られるわけではなく、平板上に載置した真正性識別対象物３に対して、平圧プレスで転写箔を押圧転写しても良いし、２本の加熱圧着ローラ間に、真正性識別対象物３と転写箔１を位置合わせして通過させ、転写するものであってもよい。
この際、基材フィルム１１は剥離除去され、剥離層兼保護層１２は真正性識別対象物３の側に残る。これにより本発明の真偽判定体２が完成する。
転写後、剥離層兼保護層１２は、保護層１２ｈとして機能することになる。
【００１９】
図３の平面図のように真偽判定体２には、真正性識別対象物３の被転写領域４に真偽判定体用転写箔１が部分的に転写されている。部分転写でなく全面転写するものであっても構わないが、コレステリック液晶層は顕著な識別効果を発揮するので、部分転写であってもその効果は十分である。
被転写領域４には、接着層１５により地紋印刷１４とコレステリック液晶層１３、保護層１２ｈが転写されている。図３（Ａ）は、地紋印刷１４が微細な文字パターンである例、図３（Ｂ）は幾何学的模様である例を示している。
真正性識別対象物３には、証券等の表示や額面等を表示する一般印刷絵柄６があらかじめ印刷されている。
【００２０】
【実施例】
図１、図２を参照して本発明の実施例を説明する。
（実施例）
基材フィルム（厚み２５μｍのＰＥＴ）１１に、剥離層兼保護層１２とコステリック液晶層１３を塗工したコレステリック液晶フィルムに、地紋、絵柄などをグラビア印刷した後、水性ヒートシール剤（セルロース系）に青色の水性染料を０．５％添加してからグラビアリバース法で塗工し、真偽判定体用転写箔１を得た。
【００２１】
上記、真偽判定体用転写箔１を真正性識別対象物３に加熱ローラ５により転写して真偽判定体（ギフト券）２を得た。
得られた真偽判定体２は、被転写領域４が視角により異なる色彩を呈するため、被転写領域の無い真正性識別対象物とは明瞭に識別することができた。
【００２２】
【発明の効果】
以上詳しく説明したように本発明によれば以下の効果が得られる。
本発明の真偽判定体用転写箔や真偽判定体は、コレステリック液晶の有するコレステリックカラーの視角依存性、波長選択性、円偏光選択性を利用しているため偽造が困難であり、かつ真偽の判定が極めて容易である。
また、コレステリック液晶層のみならず、地紋印刷が加えられているので、固有の情報を付加することができ利用範囲を一層広くすることができる。
コレステリック液晶の旋光性、選択反射性は複写機やスキャナーでの再現は不可能であり、この点においても偽造防止効果が高くなる。
【図面の簡単な説明】
【図１】本発明の真偽判定体用転写箔を示す断面図である。
【図２】真偽判定体用転写箔を真正性識別対象物に転写する工程を示す図である。
【図３】本発明の真偽判定体の平面図である。
【符号の説明】
１　　真偽判定体用転写箔
２　　真偽判定体
３　　真正性識別対象物
４　　被転写領域
５　　加熱ローラ
６　　一般印刷絵柄
１１　　基材フィルム
１２　　剥離層兼保護層
１２ｈ　　保護層
１３　　コレステリック液晶層
１４　　地紋印刷
１５　　接着層
【図１】
2004050596.tif 000003
【図２】
2004050596.tif 000004
【図３】
2004050596.tif 000005